(57)【特許請求の範囲】
【請求項１】
発光素子として発光ダイオードを有する回収光源であって当該回収光源の識別情報が記録された書き込み可能な電子タグを具備する回収光源の光源再利用システムであって、
前記回収光源の再利用の判定に用いる情報を、前記識別情報と対応させて格納する光源データ格納部と、
前記光源データ格納部に格納された情報に基づいて、前記回収光源の再利用の可否を一次判定する第一判定部と、
前記第一判定部により再利用の可能性があると判定された前記回収光源に対し、再利用の可否を検査する光源検査部と、
前記光源検査部の検査結果に関する情報を、前記光源データ格納部に入力する検査データ入力部と、
前記光源検査部にて再利用可能と判定された前記回収光源の前記電子タグに対し、再利用の履歴に関する情報を書き込む再利用情報書込部とを備えた
ことを特徴とする光源再利用システム。
【請求項２】
前記電子タグに格納された前記再利用の履歴に関する情報に基づいて、前記第一判定部による前記一次判定の前に、前記回収光源の再利用の可否を判断する第二判定部を備えた
ことを特徴とする請求項１記載の光源再利用システム。
【請求項３】
前記回収光源に設けられ、前記発光ダイオードの稼働時間を計時する計時手段と、
前記計時手段により計時された前記稼働時間に基づいて、前記回収光源の再利用の可能性を判定する第三判定部とを備えた
ことを特徴とする請求項１または請求項２に記載の光源再利用システム。
【請求項４】
発光素子として発光ダイオードを有する回収光源であって当該回収光源の識別情報が記録された電子タグを具備する回収光源の光源再利用システムであって、
前記回収光源の再利用の判定に用いる情報を、前記識別情報と対応させて格納する光源データ格納部と、
前記光源データ格納部に格納された情報に基づいて、前記回収光源の再利用の可否を一次判定する第一判定部と、
前記回収光源に設けられ、前記発光ダイオードの稼働時間を計時する計時手段と、
前記計時手段により計時された前記稼働時間に基づいて、前記回収光源の再利用の可能性を判定する第三判定部と、
前記第一判定部及び前記第三判定部により再利用の可能性があると判定された前記回収光源に対し、再利用の可否を検査する光源検査部と、
前記光源検査部の検査結果に関する情報を、前記光源データ格納部に入力する検査データ入力部とを備えた
ことを特徴とする光源再利用システム。
【請求項５】
前記光源データ格納部は、前記回収光源の再利用の判定に用いる情報として、前記回収光源の製造時期を含み、
前記第一判定部は、前記製造時期に基づいて前記回収光源の残存寿命を推定し、当該残存寿命を前記一次判定に用いる
ことを特徴とする請求項１〜請求項４のいずれか一項に記載の光源再利用システム。
【請求項６】
前記光源検査部にて再利用可能と判定された前記回収光源に対し、再利用であることを示す再利用表記を付す再利用表記部を備えた
ことを特徴とする請求項１〜請求項５のいずれか一項に記載の光源再利用システム。
【請求項７】
前記電子タグの前記識別情報を読み取り、読み取った前記識別情報を前記光源データ格納部に出力する電子タグ読取部を備えた
ことを特徴とする請求項１〜請求項６のいずれか一項に記載の光源再利用システム。
【請求項８】
前記電子タグ読取部は、ネットワークを介して前記光源データ格納部に前記識別情報を出力する
ことを特徴とする請求項７記載の光源再利用システム。
【請求項９】
発光ダイオードを光源とする回収光源に取り付けられた電子タグから、当該回収光源の識別情報を読み取るステップと、
前記識別情報に対応付けて光源データベースに記憶されている前記回収光源に関する情報に基づいて、当該回収光源の再利用の可否を一次判定するステップと、
前記一次判定により再利用の可能性があると判定された前記回収光源に対し、再利用の可否を検査するステップと、
前記回収光源に対する前記検査の結果に関する情報を、前記光源データベースに記憶するステップと、
前記検査により再利用が可能であると判定された前記回収光源の前記電子タグに対し、再利用の履歴に関する情報を書き込むステップとを含む
ことを特徴とする光源再利用方法。
【請求項１０】
前記検査により再利用が可能であると判定された前記回収光源に対し、再利用であることを示す再利用表記を付加するステップを含む
ことを特徴とする請求項９記載の光源再利用方法。
【発明の詳細な説明】
【技術分野】
【０００１】
本発明は、光源再利用システム及び光源再利用方法に関する。
【背景技術】
【０００２】
従来、発光ダイオードを光源として用いる照明装置が知られている。発光ダイオードからなる光源（以下、ＬＥＤ光源と称する）は、白熱電球や蛍光ランプのように断線等が生じにくく寿命が長いため、照明装置からＬＥＤ光源を取り外して転用しようとする使用者も想定される。しかし、動作の信頼性や安全性の面からすると、使用者がみだりに照明装置からＬＥＤ光源を取り外すことは好ましくない。
【０００３】
上記のような事項を背景として、照明装置からＬＥＤモジュールを取り外すべくＬＥＤモジュールの基板を固定しているねじを解除方向に回転させると、それに伴って基板が破断して基板上の配線パターンも切断させるように構成された照明装置が提案されている（例えば、特許文献１参照）。
【先行技術文献】
【特許文献】
【０００４】
【特許文献１】特開２０１１−６０５７９号公報（第２０頁、図２４）
【発明の概要】
【発明が解決しようとする課題】
【０００５】
上記特許文献１には、使用者による必要な解体行為を抑制するための照明装置自体の技術が開示されているが、照明装置のＬＥＤ光源をいかにして再利用するのか、そのシステムや方法については開示されていなかった。ＬＥＤ光源は白熱電球や蛍光ランプと比べて寿命が長く高価であることや環境問題等を考慮して、例えばＬＥＤ光源を有する照明装置を用いた店舗等を改装する際に、まだ使用可能なＬＥＤ光源があればそれを再利用したいという要請が強い。このため、ＬＥＤ光源を適切に再利用することのできる光源再利用システムや光源再利用方法が望まれていた。
【課題を解決するための手段】
【０００６】
本発明に係る光源の再利用システムは、発光素子として発光ダイオードを有する回収光源であって当該回収光源の識別情報が記録された書き込み可能な電子タグを具備する回収光源の光源再利用システムであって、前記回収光源の再利用の判定に用いる情報を、前記識別情報と対応させて格納する光源データ格納部と、前記光源データ格納部に格納された情報に基づいて、前記回収光源の再利用の可否を一次判定する第一判定部と、前記第一判定部により再利用の可能性があると判定された前記回収光源に対し、再利用の可否を検査する光源検査部と、前記光源検査部の検査結果に関する情報を、前記光源データ格納部に入力する検査データ入力部と、前記光源検査部にて再利用可能と判定された前記回収光源の前記電子タグに対し、再利用の履歴に関する情報を書き込む再利用情報書込部とを備えたものである。
【発明の効果】
【０００７】
本発明によれば、発光ダイオードを光源とする回収光源を、適切に再利用することができる。
【図面の簡単な説明】
【０００８】
【図１】実施の形態１に係る光源再利用システムに適用可能な照明機器の一例を説明する図である。
【図２】実施の形態１に係る光源再利用システムに適用可能な照明機器の他の例を説明する図である。
【図３】実施の形態１に係る光源再利用システムの構成を説明するブロック図である。
【図４】実施の形態１に係る光源データベース部の構成例を説明する図である。
【図５】実施の形態１に係る光源再利用システムを用いた照明機器の再利用の流れを説明するフローチャートである。
【図６】実施の形態２に係る光源再利用システムの構成を説明するブロック図である。
【図７】実施の形態２に係る光源再利用システムを用いた照明機器の再利用の流れを説明するフローチャートである。
【図８】実施の形態３に係る光源再利用システムに適用可能な照明機器の例を説明する図である。
【図９】実施の形態３に係る光源再利用システムを用いた照明機器の再利用の流れを説明するフローチャートである。
【発明を実施するための形態】
【０００９】
以下、本発明に係る光源再利用システムの実施の形態を、図面を参照して説明する。なお、以下に示す図面の形態によって本発明が限定されるものではない。
【００１０】
実施の形態１．
図１は、実施の形態１に係る光源再利用システムに適用可能な照明機器の一例を説明する図である。
図１に示す照明器具１０は、外郭を構成するケース１１と、ケース１１内に収容され、光源としての複数の発光ダイオード１３が実装された基板１２と、基板１２に装着されたＩＣタグ１４とを備える。なお、図１では説明のため、ケース１１内の部材を透視した状態を表している。
【００１１】
ケース１１において、発光ダイオード１３の光を出力する側と対向する部分は、透光性を有する合成樹脂やガラス等の材料からなり、発光ダイオード１３が出力する光を透過させる。また、基板１２には、発光ダイオード１３を点灯させるための点灯回路（図示せず）が実装されている。
【００１２】
ＩＣタグ１４は、少なくともデータ記憶用のメモリとアンテナとを有し、これらが例えば合成樹脂製のカバーに覆われて構成されている。ＩＣタグ１４は、本実施の形態１では、データの読み出しのみが可能な読み出し専用タイプのものである。ＩＣタグ１４に記憶されるデータは、少なくとも、当該ＩＣタグ１４が装着された基板１２に実装された光源（発光ダイオード１３）を識別するための識別情報を含んでいる。ＩＣタグ１４は、発光ダイオード１３を搭載する基板１２上に、読取時に電気的な誤信号が生じないような箇所（例えば、金属部分や充電部分を避けた箇所）を選んで装着されている。
【００１３】
また、図１には、再利用表示１８を示している。この再利用表示１８は、詳細は後述するが、本実施の形態１に係る光源再利用システムを利用して再利用された照明器具１０に対して付加されるラベル等の表示部材である。この再利用表示１８は、再利用前の照明器具１０には付加されていないものであるが、図１では、後述の説明のために図示している。再利用表示１８については後述する。
【００１４】
図２は、実施の形態１に係る光源再利用システムに適用可能な照明機器の他の例を説明する図である。図２では、図１に示した照明機器とは外観及び物理的構成の異なる照明機器であるランプを例示しており、図１と同一または対応する構成には、図１と同じ符号を付している。また、図２では説明のため、ケース１１内の部材を透視した状態を表している。
【００１５】
図２に示す照明機器は、外郭を構成するケース１１が、合成樹脂等の透光性を有する絶縁材料で構成された円筒形状に構成された、いわゆる直管形のランプである。ケース１１の軸方向の両端部には、それぞれ口金部１５が取り付けられている。口金部１５の一方には、基板１２に実装された発光ダイオード１３等の部品に給電するための給電ピン１６ａが設けられ、口金部１５の他方には、設置用の設置側ピン１６ｂが設けられている。基板１２、発光ダイオード１３、ＩＣタグ１４、及び再利用表示１８については、図１にて説明したものと同様の構成である。
【００１６】
以上、図１、図２を用いて本実施の形態１に係る光源再利用システムに適用可能な照明機器の例を説明した。なお、図１、図２に示した照明機器の構成は一例であり、例えば電球形のランプのほか、ケース１１の形状や発光ダイオード１３の数、配置等について特に限定しない。
【００１７】
図３は、実施の形態１に係る光源再利用システムの構成を説明するブロック図である。
実施の形態１に係る光源再利用システムは、大まかには、回収された光源（発光ダイオード１３とＩＣタグ１４とを含む状態であれば、照明器具１０そのものであっても例えばケース１１を取り外した状態であってもよい。以下、回収光源２０と称する。）のＩＣタグ１４からＩＣタグ読取装置２にて回収光源の識別情報を読み込み、光源情報処理装置３がその識別情報に対応して格納された回収光源に関する情報に基づいて回収光源の再利用の可否を一次判定し、再利用可能であれば光源検査装置４にて再利用に関する光源の検査を行い、再利用可能であれば再利用処理装置５にて回収光源に対して所定の再利用処理を施すことによって再利用光源２１を得る、というものである。
【００１８】
ＩＣタグ読取装置２は、ＩＣタグ１４に記憶されたデータを読み込むための装置である。ＩＣタグ読取装置２は、ＩＣタグ１４との間で電波の受け渡しを行うアンテナと、ＩＣタグ１４との交信制御やデータのプロトコル変換等を行うコントローラ（図示せず）を備えている。また、ＩＣタグ読取装置２は、光源情報処理装置３に対してデータを出力する接続インタフェース（図示せず）を備えている。
【００１９】
光源情報処理装置３は、光源データベース部３１と、再利用一次判定部３２と、光源データ修正部３３とを備える。光源情報処理装置３は、物理的には、ＣＰＵと、記憶装置とを備えたコンピュータにより実現することができる。また、光源情報処理装置３には、ＩＣタグ読取装置２、光源検査装置４、及び再利用処理装置５との間でデータの入出力を行う接続インタフェースを備えている。図３に示す光源データベース部３１、再利用一次判定部３２、及び光源データ修正部３３は、光源情報処理装置３の機能を概念的に記載したものであり、これらは、光源情報処理装置３を構成する物理的装置の一部を用いて実現することができるが、必ずしも物理的に図３に記載のように構成されていることを要しない。
【００２０】
図４は、実施の形態１に係る光源データベース部の構成例を説明する図である。
光源データベース部３１は、メモリ３１１と、ＩＣタグ読取装置２から入力されたデータから必要な情報を読み出してメモリ３１１に格納する処理部３１２等を備えている。
図４に示すように、光源データベース部３１のメモリ３１１には、ＩＣタグ１４に記憶された識別情報であるＩＣタグコード記号３２０が格納され、このＩＣタグコード記号３２０毎に（すなわち、ＩＣタグ１４毎に）、時間情報３２１と、製品仕様情報３２２と、用途・場所情報３２３と、点灯装置情報３２４と、再利用情報３２５とが対応付けて格納される。
【００２１】
時間情報３２１は、例えば、製造時期、出荷時期、回収光源２０が使用されていた施設での稼働時期等の情報である。
製品仕様情報３２２は、例えば、発光ダイオード１３の形状、定格電力、電流、光色や出力光束その他光学特性等の情報である。
用途・場所情報３２３は、回収光源２０の設置場所や地域等の周囲環境に関する情報、用途に関する情報である。
点灯装置情報３２４は、発光ダイオード１３の出力電力、付加電圧、組み合わせ可能な点灯装置の機種名等の情報である。
再利用情報３２５は、光源検査装置４による再利用検査時に測定・認識された検査データ、再利用検査の時期、再利用検査の回数、過去に再利用された時期等の情報である。
なお、図４で示した情報は一例であり、各発光ダイオード１３の再利用の可否を判定、検査するために必要な情報や、検査結果に関する情報等を含め、任意の情報を光源データベース部３１に格納することができる。
【００２２】
再利用一次判定部３２は、回収光源２０に再利用の可能性があるか否かの一次判定を行う。再利用一次判定部３２は、ＩＣタグ読取装置２から出力されたＩＣタグ１４の識別情報をキーにして光源データベース部３１を参照し、光源データベース部３１に格納されている情報に基づいて、前記一次判定を行う。具体的には、例えば、光源データベース部３１の時間情報３２１の製造時期と現在時刻とを比較することによって回収光源２０の期待される残存寿命を推定し、この残存寿命が所定値以上あるか否かにより、再利用の可能性を判定してもよい。より具体的には、回収光源２０の残存寿命が例えば初期値の５０％以上あるか否かにより、再利用の可能性を判定することができる。発光ダイオード１３の残存寿命が初期値の５０％以上であれば、例えば一般的な蛍光ランプの残存寿命の初期値よりも長いので、このようなものを「再利用可能」と判定すれば、比較的使用期間が短いと想定される用途向けに再利用することができる。このような残存寿命の判定に加え、回収光源２０が使用されていた使用環境など、他の情報を含めて再利用の可能性を判定してもよい。
【００２３】
光源データ修正部３３は、再利用処理装置５から入力されるデータを、光源データベース部３１に入力して光源データベース部３１を更新する。
【００２４】
光源検査装置４は、回収光源２０が再利用可能であるか否かを実際に検査する装置である。本実施の形態１の光源検査装置４は、再利用一次判定部３２にて再利用の可能性あり、と判断された回収光源２０を検査する。光源検査装置４は、例えば、発光ダイオード１３の外観の良否、電力、電圧や電流などの電気的特性、光色や光束等の光学特性、安全性等、回収光源２０それ自体の検査を行う。光源検査装置４により再利用可能と判定された回収光源２０は、再利用処理装置５に送られる。
【００２５】
再利用処理装置５は、機能的には、検査データ入力部５１と、光源処理部５２とに大別される。
検査データ入力部５１は、光源検査装置４による回収光源２０の検査データを取得し、取得した検査データを光源データ修正部３３に入力する。
【００２６】
光源処理部５２は、光源検査装置４による検査の結果、再利用可能と判定された回収光源２０に対し、取り扱いを容易にするために包装、梱包等の再利用処理を行う。なお、光源処理部５２における包装、梱包処理は、回収光源２０を再利用する際の取り扱いを容易にするためのものであって、必須のものではない。また、光源処理部５２は、包装、梱包処理に代えて、あるいはこれらに加えて、回収光源２０の塗装やクリーニング等の他の必要な処理を施すこともできる。
【００２７】
また、光源処理部５２は、回収光源２０、その包装、及び梱包の少なくともいずれかに、再利用であることを示す再利用表示１８を付加する。再利用表示１８には、例えば、「再利用」など再利用であることを示す表記を行い、新品との区別が明確になるようにする。また、再利用表示１８には、再利用可能と判定した時期、適合する点灯装置の機種名、発光ダイオード１３の機種名などの情報を記載してもよく、このようにすることで誤使用の防止に役立つ。再利用表示１８を照明器具１０に付加する場合には、図１に例示したように、基板１２の発光ダイオード１３と反対側の面に付けることができる。また、図２に例示した直管形の照明器具１０に付加する場合には、透光性材料で構成されたラベルからなる再利用表示１８をケース１１に貼り付けることもできる。また、口金部１５やケース１１の発光面以外の面に再利用表示１８を取り付けてもよく、この場合、再利用表示１８が光を遮ることもないので外観上好ましく、再利用表示１８を透光性を有しない材料で構成することもできる。
【００２８】
再利用処理装置５の物理的構成としては、ＣＰＵ等の制御部と、光源検査装置４及び光源情報処理装置３との間でデータの入出力を行うためのインタフェース回路やインタフェースプログラム等の入出力インタフェースと、回収光源２０に対して包装、梱包、及び再利用表示１８の付加を行うことのできる任意の装置を備えている。なお、本実施の形態１では、検査データ入力部５１と光源処理部５２とを一台の再利用処理装置５により構成する例を示したが、検査データ入力部５１と光源処理部５２とをそれぞれ物理的に別の装置により構成してもよい。
【００２９】
また、ＩＣタグ読取装置２、光源情報処理装置３、光源検査装置４、及び再利用処理装置５は、必ずしも物理的に図３のように構成されていることを要しない。例えば、ＩＣタグ読取装置２、光源情報処理装置３、光源検査装置４、及び再利用処理装置５の全部を、一箇所に設置可能な一台の装置として実現してもよいし、それぞれを別の場所に設置可能な個別の装置として実現してもよい。また、各装置の間の情報の入出力は、有線接続あるいは無線接続のいずれの接続方式を採用してもよい。
【００３０】
なお、本実施の形態１の「ＩＣタグ１４」は、本発明の「電子タグ」に相当する。
また、本実施の形態１の「光源データベース部３１」は、本発明の「光源データ格納部」に相当する。
また、本実施の形態１の「再利用一次判定部３２」は、本発明の「第一判定部」に相当する。
また、本実施の形態１の「光源検査装置４」は、本発明の「光源検査部」に相当する。
また、本実施の形態１の「検査データ入力部５１」は、本発明の「検査データ入力部」に相当する。
また、本実施の形態１の「光源処理部５２」は、本発明の「再利用表記部」に相当する。
また、本実施の形態１の「ＩＣタグ読取装置２」は、本発明の「電子タグ読取部」に相当する。
また、本実施の形態１の「再利用表示１８」は、本発明の「再利用表記」に相当する。
【００３１】
図５は、実施の形態１に係る光源再利用システムを用いた照明機器の再利用の流れを説明するフローチャートである。
例えば、比較的改装までの期間が短い店舗等において、改装需要が生じたとする。改装工事が進展すると、その店舗の既設の照明機器（照明器具１０）を取り外す作業が行われ、照明器具１０に使用されていた基板１２（発光ダイオード１３及びＩＣタグ１４を含む状態）もしくは、照明器具１０そのものが回収される。このようにして、回収光源２０が生じる。
【００３２】
この回収光源２０は、工場等に設置された光源再利用システムのＩＣタグ読取装置２へと搬送される（Ｓ１）。ＩＣタグ読取装置２は、回収光源２０に装着されたＩＣタグ１４を読み取り、このＩＣタグ１４の識別情報を含むデータを光源情報処理装置３に入力する（Ｓ２）。光源情報処理装置３の再利用一次判定部３２は、ＩＣタグ１４から読み取られた識別情報を光源データベース部３１に照会し（Ｓ３）、当該回収光源２０の再利用の可否を一次判定する（Ｓ４）。例えば、回収光源２０が、再利用を図る対象品でない場合や、既に長期間使用されていて残存寿命が短い場合等、再利用が不可能である場合には（Ｓ４；Ｎｏ）、再利用のための作業は終了となり、裁断等の必要な処理を経て廃棄される。
【００３３】
一方、回収光源２０が十分に残存寿命を有し、再利用可能の条件を満たす場合には（Ｓ４；Ｙｅｓ）、回収光源２０は光源検査装置４へと送られ、光源検査装置４は回収光源２０の検査を行う（Ｓ５）。光源検査装置４による検査の結果、例えば回収光源２０の発光ダイオード１３が傷んでいる等、再利用が不可能と判断された場合には（Ｓ６；Ｎｏ）、再利用のための作業は終了となり、裁断等の必要な処理を経て破棄される。
【００３４】
一方、回収光源２０が再利用可能である場合には（Ｓ６；Ｙｅｓ）、光源検査装置４による検査結果は、検査データ入力部５１を介して光源データ修正部３３に入力され、光源データ修正部３３は入力された検査結果に基づいて光源データベース部３１のデータを更新、追加する（Ｓ７）。また、再利用可能な回収光源２０は、再利用処理装置５へと送られて包装、梱包等の処理が施されるとともに再利用表示１８が付加され（Ｓ８）、再利用光源２１となり、以上で再利用のための作業が終了する。
【００３５】
再利用光源２１は、店舗等の施設の照明用途に用いることができるが、主に、リース、レンタル、あるいは一時的（仮設）用途に適している。これは、再利用光源２１の提供者が、予め客先（提供先）での使用期限を把握した上で、再利用光源２１の残存寿命を考慮しつつ当該再利用光源２１を提供することができるためである。また、再利用光源２１の提供者は、再利用光源２１を客先に提供する際に期待する残存寿命を客先に伝えることができ、そのようにすることで客先はその再利用光源２１の残存寿命を把握した上で利用することができる。
【００３６】
以上のように、本実施の形態１の光源再利用システムによれば、回収光源に装着されているＩＣタグの情報と光源データベース部の情報に基づいて光源情報処理装置にて再利用の可否を一次判定し、一次判定の結果、再利用可能と判定されたものについては光源検査装置にて実際に検査を行い、その検査の結果、再利用可能と判定されたものについて再利用処理を施すようにしたので、発光素子として発光ダイオードを有する回収光源を、適切に再利用することができる。したがって、残存寿命が十分な回収光源については無駄に廃棄されることなく長期使用が可能であり、また、回収光源を再利用することで、新品を製造する場合と比較して製造コストが低減できる等、エネルギー消費量の削減効果がある。
【００３７】
また、回収光源に付加されたＩＣタグの情報と光源データベース部に格納されている情報に基づいて行った再利用の一次判定にて再利用可能と判定された回収光源のみ、実際に光源検査装置で再利用の検査を行うようにしたので、すべての回収光源について実際に再利用可否を検査する場合と比較して、回収光源を光源検査装置に搬送する負担や、光源検査装置にて検査を行う負担を軽減することができ、回収光源の再利用に要するコストを抑制することができる。
【００３８】
また、光源検査装置での回収光源の検査結果を光源データベース部に格納するようにしたので、再利用された光源の記録を保持できる。このため、例えば、再利用光源が再度回収された場合には、前回の再利用に関する記録と併せて再利用の可否を判断することができ、また、再利用光源を修理等する際に光源データベース部に記録された情報を参照することができる等、再利用光源を有効に活用することができる。
【００３９】
また、本実施の形態１の光源再利用システムでは、再利用する回収光源に再利用表示を付加するようにしたので、当該光源が再利用されたものであることが明確となり、店舗等の施設に再利用光源を設置する際に作業者が新品と混同しにくく、施工作業の誤り等を抑制することができる。
【００４０】
また、上記説明では、ＩＣタグ１４が読み出し専用タイプのものであることを例に説明した。このような読み出し専用タイプのＩＣタグは、比較的安価であって読み出し・書き込み可能なＩＣタグと比較して経済的に有利であり、また、光源を製造した後の状態等に関する情報については上記のように光源情報処理装置３に格納しておくことで、これらの光源製造後に変化する情報を利用して再利用の可否を一次判定することができる。
【００４１】
なお、上記のような読み出し専用のＩＣタグに代えて、データの追加書き込みが可能なＩＣタグを用いてもよい。この場合、例えば再利用の履歴や再利用開始時期等の再利用に関する情報をＩＣタグに書き込むようにする。そうすると、再利用光源が再び回収光源となった場合、ＩＣタグに書き込まれた情報に基づいて再利用の可否を判断することも可能となる。例えば、仕様上、再利用の回数が制限されている光源であれば、ＩＣタグに書き込まれた再利用回数を参照するだけで当該光源に再利用の可能性があるか否かを判断できるので、再利用一次判定部３２における光源データベース部３１を利用した一次判定や光源検査装置４による検査の手間を省くことができる。なお、ＩＣタグへ再利用に関する情報を書き込む再利用情報書込部としては、例えば、ＩＣタグに非接触で情報を書き込むことのできるＩＣタグライタを用いることができる。また、ＩＣタグに書き込まれた情報に基づいて再利用の可否を判断する本発明の第二判定部に相当する構成は、再利用一次判定部３２にて実現してもよいし、再利用一次判定部３２とは別に光源情報処理装置３に設けてもよい。
【００４２】
実施の形態２．
図６は、実施の形態２に係る光源再利用システムの構成を説明するブロック図である。本実施の形態２では、実施の形態１との相違点を中心に説明し、実施の形態１と同様の構成については同一の符号を付している。
【００４３】
実施の形態２の光源再利用システムは、ＩＣタグ読取装置２Ａと光源情報処理装置３Ａが、インターネットやイントラネットなどのネットワーク２００を介して接続されている。ネットワーク２００の通信方式は、無線あるいは有線のいずれであってもよい。ＩＣタグ読取装置２Ａと光源情報処理装置３Ａは、基本的な構成については実施の形態１と同様の構成である。ただし、ＩＣタグ読取装置２Ａと光源情報処理装置３Ａは、それぞれ、ネットワーク２００に接続するための通信インタフェース２４、通信インタフェース３４を備えている点が、実施の形態１と異なる。なお、光源検査装置４及び再利用処理装置５については、実施の形態１と同様である。
【００４４】
図７は、実施の形態２に係る光源再利用システムを用いた照明機器の再利用の流れを説明するフローチャートである。図７では、図５と同様の処理については同じ符号を付している。
回収光源２０が発生した場合、実施の形態２の光源再利用システムでは、まず、ＩＣタグ読取装置２Ａが、回収光源２０に装着されたＩＣタグ１４を読み取り、読み取ったデータをネットワーク２００経由で光源情報処理装置３に入力する（Ｓ２Ａ）。ステップＳ３及びＳ４の処理については、図５と同様である。そして、ステップＳ４にて回収光源２０の再利用が可能であると判定された場合に（Ｓ４；Ｙｅｓ）、回収光源２０を光源検査装置４へと搬送する（Ｓ１０）。以下、ステップＳ５、Ｓ６、Ｓ７、及びステップＳ８については、図５と同様である。
【００４５】
このように、本実施の形態２では、ＩＣタグ読取装置２Ａと光源情報処理装置３とをネットワーク２００で接続し、光源情報処理装置３における再利用の一次判定にて再利用可能と判断されたもののみ、光源検査装置４へと搬送するようにした。このため、ＩＣタグ読取装置２Ａを、光源情報処理装置３や光源検査装置４から離れた場所で使用することができる。したがって、持ち運び容易なＩＣタグ読取装置２Ａを改装現場等に持ち込んで回収光源２０のＩＣタグ１４を読み取り、読み取った情報を光源情報処理装置３に送信し、光源情報処理装置３にて再利用可能と一次判定された回収光源２０のみ、光源検査装置４へ搬送すればよい。すなわち、一次判定にて再利用が不可能であるとされた回収光源２０については、改装現場等から他の場所へ搬送しなくてよいので、余分な輸送費を省くことができる。
【００４６】
実施の形態３．
図８は、実施の形態３に係る光源再利用システムに適用可能な照明機器の例を説明する図である。図８に示す照明器具１０Ａは、積算タイマー１９を備えている。積算タイマー１９は、発光ダイオード１３の稼働時間（通電時間）を計時し、その積算時間を保持しておくことのできるものであり、例えばマイコン等を用いて構成することができる。積算タイマー１９は、本発明の「計時手段」に相当する。なお、図示しないが、図２に例示したいわゆる直管形のランプに積算タイマー１９を設けてもよく、照明機器自体の外観は図８のものに限定されない。
【００４７】
また、本実施の形態３の光源情報処理装置３は、照明器具１０Ａに搭載された積算タイマー１９が保持する積算時間を読み取ることができる入力インタフェース（図示せず）を備える。また、再利用一次判定部３２は、本実施の形態３では、積算時間に基づいて再利用の可否を判定する本発明の「第三判定部」としての機能を有する。
【００４８】
図９は、実施の形態３に係る光源再利用システムを用いた照明機器の再利用の流れを説明するフローチャートである。図９は、図５と同様の処理については同じ符号を付している。
図９においてステップＳ１〜ステップＳ４の処理は、図５と同様である。そして、ステップＳ４にて回収光源２０の再利用が可能であると判定された場合に（Ｓ４；Ｙｅｓ）、再利用一次判定部３２は、積算タイマー１９に保持されている積算時間に基づいて、再利用の可否を判定する（Ｓ１１）。そして、積算タイマー１９に保持されている積算時間を確認した結果、積算時間が所定時間以下であって所定の残存寿命があると判断した場合、すなわち、発光ダイオード１３の通電時間からみて再利用可能であると判断した場合に（Ｓ１１；Ｙｅｓ）、光源検査装置４にて回収光源２０を検査する（Ｓ５）。また、積算タイマー１９に保持されている積算時間が所定時間を超えている場合、すなわち、発光ダイオード１３の通電時間からみて再利用が不可能であると判断した場合には（Ｓ１１；Ｎｏ）、再利用のための作業は終了となり、裁断等の必要な処理を経て廃棄される。ステップＳ６、Ｓ７、及びステップＳ８については、図５と同様である。
【００４９】
なお、図９に示したステップＳ１１の処理は、実施の形態２にて図７と組み合わせることができる。この場合、図９のステップＳ１１の処理を、ステップＳ４とステップＳ１０との間で実行するとよい。
【００５０】
以上のように本実施の形態３の光源再利用システムでは、光源データベース部に格納されている照明機器の製造時の情報や再利用時の情報だけでなく、発光ダイオードの稼働時間を用いて、回収光源の再利用の可否を判定するようにした。このため、回収光源の再利用の可否を、より正確に判定することができる。
【符号の説明】
【００５１】
２  ＩＣタグ読取装置、２Ａ  ＩＣタグ読取装置、３  光源情報処理装置、３Ａ  光源情報処理装置、４  光源検査装置、５  再利用処理装置、１０  照明器具、１０Ａ  照明器具、１１  ケース、１２  基板、１３  発光ダイオード、１４  ＩＣタグ、１５  口金部、１６ａ  給電ピン、１６ｂ  設置側ピン、１８  再利用表示、１９  積算タイマー、２０  回収光源、２１  再利用光源、２４  通信インタフェース、３１  光源データベース部、３２  再利用一次判定部、３３  光源データ修正部、３４  通信インタフェース、５１  検査データ入力部、５２  光源処理部、２００  ネットワーク、３１１  メモリ、３１２  処理部、３２０  ＩＣタグコード記号、３２１  時間情報、３２２  製品仕様情報、３２３  用途・場所情報、３２４  点灯装置情報、３２５  再利用情報。
【図１】
0005950579.tif 000002
【図２】
0005950579.tif 000003
【図３】
0005950579.tif 000004
【図４】
0005950579.tif 000005
【図５】
0005950579.tif 000006
【図６】
0005950579.tif 000007
【図７】
0005950579.tif 000008
【図８】
0005950579.tif 000009
【図９】
0005950579.tif 000010